(57)【要約】【課題】  簡易な製造を可能にし、パネル設備費のコストダウンを図る。【解決手段】  輻射パネル１は上ヘッダー２ａ及び下ヘッダー２ｂと、上下の両ヘッダー間に直列状態に配置してある流体通過用のパイプ４と、このパイプを上記両ヘッダーにボルト用のタップ孔５１及びボルト５２を介して取り付けている取付け手段５とを備えており、パイプ４には冷温水を流す流体の通路３を設けると共に、通路を挟んでかつ上記通路に沿ってボルト用のタップ孔５１を設け、流体通過用のパイプ４の折り曲げ部が上下の両ヘッダーのタップ孔５１にねじ込まれているボルト５２によって着脱可能に固定されている。【選択図】        図１
2010107151.tif 000002
【特許請求の範囲】
【請求項１】
両側に位置しているヘッダーと、両ヘッダー間に配置してあって流体が通過するための通路を有している流体通過用のパイプと、上記パイプを上記両ヘッダーに取り付けるための取付け手段とを備えており、
上記取付け手段は、上記流体通過用のパイプ側に設けてあるボルト用の孔と、上記ボルト用の孔に着脱可能であるボルトとを備えている
ことを特徴とする冷暖房用などのパネル。
【請求項２】
ボルト用の孔は、タップ孔であることを特徴とする請求項１記載の冷暖房用などのパネル。
【請求項３】
流体通過用のパイプは、両側に位置しているヘッダーに対して直列状態に配置されており、上記流体通過用のパイプの各折り曲げ部が両ヘッダーに取付け手段によって取り付けられていることを特徴とする請求項１又は請求項２記載の冷暖房用などのパネル。
【請求項４】
流体通過用のパイプは、その本体が中実の熱伝導部を形成し、外側面に放熱用の溝を設けてあることを特徴とする請求項１乃至請求項３のいずれかに記載の冷暖房用などのパネル。
【請求項５】
流体通過用のパイプは、両ヘッダー間に並べて配置されている複数の主パイプ部と、一側のヘッダー側に配置されている一方の接続パイプ部と、他側のヘッダー側に配置されている他方の接続パイプ部とを備えており、
上記主パイプ部は、内部に流体の通路に沿ってボルト用の孔を開けてあり、
上記双方の接続パイプ部の両端部には上記主パイプ部のボルト用の孔に通じるボルト用の孔を開けてあり、
互いに隣接している一方の主パイプ部の一端部が上記一方の接続パイプ部の一端部に、他方の主パイプ部の一端部が上記一方の接続パイプ部の他端部に上記ボルト用の孔及びボルトを介してそれぞれ接続されており、
上記他方の主パイプ部の他端部が上記他方の接続パイプ部の一端部に、他方の主パイプ部に隣接している主パイプ部の他端部が上記他方の接続パイプ部の他端部に上記ボルト用の孔及びボルトを介してそれぞれ接続されており、
上記双方の接続パイプ部は、上記ボルト用の孔及びボルトを介して両側のヘッダーにそれぞれ取り付けられている
ことを特徴とする請求項１乃至請求項４のいずれかに記載の冷暖房用などのパネル。
【請求項６】
流体通過用のパイプは、両ヘッダー間に並べて配置されている複数の主パイプ部と、一側のヘッダー側に配置されている一方の接続パイプ部と、他側のヘッダー側に配置されている他方の接続パイプ部とを備えており、
上記主パイプ部は、内部に流体の通路に沿ってかつ上記通路を挟んでボルト用の孔を開けてあり、
上記双方の接続パイプ部の両端部には上記主パイプ部のボルト用の孔に通じるボルト用の孔を開けてあり、
互いに隣接している一方の主パイプ部の一端部が上記一方の接続パイプ部の一端部に、他方の主パイプ部の一端部が上記一方の接続パイプ部の他端部に上記ボルト用の孔及びボルトを介してそれぞれ接続されており、
上記他方の主パイプ部の他端部が上記他方の接続パイプ部の一端部に、他方の主パイプ部に隣接している主パイプ部の他端部が上記他方の接続パイプ部の他端部に上記ボルト用の孔及びボルトを介してそれぞれ接続されており、
上記双方の接続パイプ部は、上記ボルト用の孔及びボルトを介して両側のヘッダーにそれぞれ取り付けられている
ことを特徴とする請求項１乃至請求項４のいずれかに記載の冷暖房用などのパネル。
【請求項７】
流体通過用のパイプは、両ヘッダー間に並べて配置されている複数の主パイプ部と、一側のヘッダー側に配置されている一方の接続パイプ部と、他側のヘッダー側に配置されている他方の接続パイプ部とを備えており、
上記主パイプ部は、内部に流体の通路に沿ってボルト用の孔を開けてあり、外側面に放熱用の溝を上記通路に沿って全長に亘って設けてあり、
上記双方の接続パイプ部の両端部には上記主パイプ部のボルト用の孔に通じるボルト用の孔を開けてあり、
互いに隣接している一方の主パイプ部の一端部が上記一方の接続パイプ部の一端部に、他方の主パイプ部の一端部が上記一方の接続パイプ部の他端部に上記ボルト用の孔及びボルトを介してそれぞれ接続されており、
上記他方の主パイプ部の他端部が上記他方の接続パイプ部の一端部に、他方の主パイプ部に隣接している主パイプ部の他端部が上記他方の接続パイプ部の他端部に上記ボルト用の孔及びボルトを介してそれぞれ接続されており、
上記双方の接続パイプ部は、上記ボルト用の孔及びボルトを介して両側のヘッダーにそれぞれ取り付けられている
ことを特徴とする請求項１乃至請求項３のいずれかに記載の冷暖房用などのパネル。
【請求項８】
流体通過用のパイプは、両ヘッダー間に並べて配置されている複数の主パイプ部と、一側のヘッダー側に配置されている一方の接続パイプ部と、他側のヘッダー側に配置されている他方の接続パイプ部とを備えており、
上記主パイプ部は、内部に流体の通路に沿ってかつ上記通路を挟んでボルト用の孔を全長に亘って開けてあり、外側面に放熱用の溝を上記通路に沿って全長に亘って設けてあり、
上記双方の接続パイプ部の両端部には上記主パイプ部のボルト用の孔に通じるボルト用の孔を開けてあり、
互いに隣接している一方の主パイプ部の一端部が上記一方の接続パイプ部の一端部に、他方の主パイプ部の一端部が上記一方の接続パイプ部の他端部に上記ボルト用の孔及びボルトを介してそれぞれ接続されており、
上記他方の主パイプ部の他端部が上記他方の接続パイプ部の一端部に、他方の主パイプ部に隣接している主パイプ部の他端部が上記他方の接続パイプ部の他端部に上記ボルト用の孔及びボルトを介してそれぞれ接続されており、
上記双方の接続パイプ部は、上記ボルト用の孔及びボルトを介して両側のヘッダーにそれぞれ取り付けられている
ことを特徴とする請求項１乃至請求項３のいずれかに記載の冷暖房用などのパネル。
【請求項９】
流体通過用のパイプは、両ヘッダー間に並べて配置されている複数の主パイプ部と、一側のヘッダー側に配置されている一方の接続パイプ部と、他側のヘッダー側に配置されている他方の接続パイプ部と、上記他側のヘッダー側に配置されている出入り口パイプ部とを備えており、
上記主パイプ部は、内部に流体の通路に沿ってボルト用の孔を開けてあり、
上記双方の接続パイプ部の両端部には上記主パイプ部のボルト用の孔に通じるボルト用の孔を開けてあり、
上記出入り口パイプ部は、上記他側のヘッダーの長さ方向の両端側に配置されていると共に、上記主パイプ部のボルト用の孔に通じるボルト用の孔を開けてあり、
互いに隣接している一方の主パイプ部の一端部が上記一方の接続パイプ部の一端部に、他方の主パイプ部の一端部が上記一方の接続パイプ部の他端部に上記ボルト用の孔及びボルトを介してそれぞれ接続されており、
上記他方の主パイプ部の他端部が上記他方の接続パイプ部の一端部に、他方の主パイプ部に隣接している主パイプ部の他端部が上記他方の接続パイプ部の他端部に上記ボルト用の孔及びボルトを介してそれぞれ接続されており、
上記流体通過用のパイプは、上記各主パイプ部と双方の各接続パイプ部とによって両ヘッダー間をジグザグ状に屈曲された状態で１本のパイプ体として配置されており、このパイプ体の両端に位置している上記各出入り口パイプ部は対向している上記主パイプ部の他端部に上記ボルト用の孔及びボルトを介してそれぞれ接続されており、
上記双方の接続パイプ部及び上記両出入り口パイプ部は、上記ボルト用の孔及びボルトを介して両側のヘッダーにそれぞれ取り付けられている
ことを特徴とする請求項１乃至請求項３のいずれかに記載の冷暖房用などのパネル。
【請求項１０】
流体通過用のパイプは、両ヘッダー間に並べて配置されている複数の主パイプ部と、一側のヘッダー側に配置されている一方の接続パイプ部と、他側のヘッダー側に配置されている他方の接続パイプ部と、他側のヘッダー側に配置されている出入り口パイプ部とを備えており、
上記主パイプ部は、内部に流体の通路に沿ってかつ上記通路を挟んでボルト用の孔を全長に亘って開けてあり、外側面に放熱用の溝を上記通路に沿って全長に亘って設けてあり、
上記双方の接続パイプ部の両端部には上記主パイプ部のボルト用の孔に通じるボルト用の孔を開けてあり、
上記出入り口パイプ部は、上記他側のヘッダーの長さ方向の両端側に配置されていると共に、上記主パイプ部のボルト用の孔に通じるボルト用の孔を開けてあり、
互いに隣接している一方の主パイプ部の一端部が上記一方の接続パイプ部の一端部に、他方の主パイプ部の一端部が上記一方の接続パイプ部の他端部に上記ボルト用の孔及びボルトを介してそれぞれ接続されており、
上記他方の主パイプ部の他端部が上記他方の接続パイプ部の一端部に、他方の主パイプ部に隣接している主パイプ部の他端部が上記他方の接続パイプ部の他端部に上記ボルト用の孔及びボルトを介してそれぞれ接続されており、
上記流体通過用のパイプは、上記各主パイプ部と双方の各接続パイプ部とによって両ヘッダー間をジグザグ状に屈曲された状態で１本のパイプ体として配置されており、このパイプ体の両端に位置している上記各出入り口パイプ部は対向している上記各主パイプ部の他端部に上記ボルト用の孔及びボルトを介してそれぞれ接続されており、
上記双方の接続パイプ部及び上記両出入り口パイプ部は、上記ボルト用の孔及びボルトを介して両側のヘッダーにそれぞれ取り付けられている
ことを特徴とする請求項１乃至請求項３のいずれかに記載の冷暖房用などのパネル。
【請求項１１】
両側に位置しているヘッダーは上ヘッダー及び下ヘッダーであり、上記上ヘッダーの長さ方向の両側に送風ファンを対向して配置してあり、上記各送風ファンは流体通過用のパイプに向けて送風可能であることを特徴とする請求項１乃至請求項１０のいずれかに記載の冷暖房用などのパネル。
【発明の詳細な説明】
【技術分野】
【０００１】
この発明は、水、温水、冷水又は冷媒などの流体を通すパイプを有する冷暖房用パネル、輻射パネルなどのパネルに関する。
【背景技術】
【０００２】
室内の空調手段として、図１０及び図１１に示す輻射パネル１０１（以下「従来例１」という。）が使用されている。
輻射パネル１０１はパイプ状の上下のヘッダー１０２ａ，１０２ｂと、両ヘッダー間に並列状態に設けている流体通過用のパイプ１０４とを備えている。パイプ１０４は複数のパイプ部１４１からなる。これらのパイプ部１４１は、上下のヘッダー１０２ａ，１０２ｂ間であって、パネルの幅方向（図１０横方向）に平行に間隔をもって並べられている。パネル部１４１の上下両端部は、上下のヘッダー１０２ａ，１０２ｂの正面（前面）に溶接によって固着されている。各パイプ部１４１の内部は、上下のヘッダー１０２ａ，１０２ｂの内部に通じており、それぞれの内部が冷温水の通路を形成している。
上ヘッダー１０２ａの両端の開口部は栓１０２ａ１によって封止されている。下ヘッダー１０２ｂの両端部は冷温水の出入り口用の開口部１０２ｂ１，１０２ｂ２となっている。また下ヘッダー１０２ｂの中央部には中仕切り１０２ｂ３が嵌め込まれており、この中仕切りが下ヘッダー１０２ｂの内部を左右に２分している。
輻射パネル１０１の使用方法について説明する。
冷温水は、下ヘッダー１０２ｂの出入り口用の開口部１０２ｂ１から下ヘッダー内に供給されると、中仕切り１０２ｂ３を挟んで図１０左側に位置しているパイプ部１４１内を上昇して上ヘッダー１０２ａに流れ込み、この上ヘッダー内を図１０右側へ向って流れ、その後図１０右側に位置しているパイプ部１４１内を降下して下ヘッダー１０２ｂに至り、やがて出入り口用の開口部１０２ｂ２を経て外部に排出される。
輻射パネル１０１では、パイプ１０４のパイプ部１４１への冷温水の供給によって、室内の冷房又は暖房が行われる。
また特許公報に開示されている輻射パネルとして、例えば特開２０００−２１３７５７号公報に記載されている輻射パネル及び特開２００４−９２０４３号公報に記載されている冷暖房用パネルがある。
特開２０００−２１３７５７号公報に開示されている輻射パネル（以下「従来例２」という。）は、供給側メインパイプと、戻り側メインパイプと、これらのメインパイプ間を連通する複数本の熱交換パイプとを備えている（公報第２頁第１欄第３０行〜第３４行参照及び図６）。輻射パネルは部屋の天井側に設置されるものである。この輻射パネルでは、供給側メインパイプに流体が供給されると、その流体が各熱交換パイプに分配されて、戻り側メインパイプから還流され、各熱交換パイプを流れる流体は熱交換パイプが接触する部分を介してパネル本体と熱交換を行い、冷房或いは暖房を行う（公報第２頁第２欄第２８行〜第４７行参照）。
また特開２００４−９２０４３号公報に開示されている冷暖房用パネル（以下「従来例３」という。）は、供給側メインパイプと、戻り側メインパイプと、これらメインパイプよりも径を小さくして、両メインパイプ間を連通する複数の熱交換パイプとを備えている（公報第３頁段落０００８及び図２参照）。冷暖房用パネルは天井や壁に設置されるものである。この冷暖房用パネルでは、冷房時には冷水を、暖房時には温水を供給すれば、それらが熱交換パイプに供給され、冷水又は温水が熱交換パイプを通過する過程で、室内の冷房又は暖房を行う（公報第３頁段落００１２参照）。
【特許文献１】特開２０００−２１３７５７号公報
【特許文献２】特開２００４−９２０４３号公報
【発明の開示】
【発明が解決しようとする課題】
【０００３】
従来例１において、流体通過用のパイプ１０４の各パイプ部１４１の上下端部は、上下のヘッダー１０２ａ，１０２ｂに溶接によって取り付けられている。このために、溶接作業に熟練を要し、製造に手間がかかり、全体としてパネル設備費のコストダウンを図る上で改善の必要がある。
従来例２において、公報に記載されている図６に示す複数本の熱交換パイプは、平行に配置されている供給側メインパイプと戻り側メインパイプのそれぞれの側面に、適当なピッチで並べられ溶着されている（公報第２頁第２欄第３５行〜第３９行参照）。このように、各熱交換パイプは、供給側メインパイプ及び戻り側メインパイプに溶着されているので、従来例１と同様の課題及び改善の必要がある。
従来例３においても、複数の熱交換パイプの供給側メインパイプ及び戻り側メインパイプに対する固定方法について、公報には「溶着」であることを示す記載がないものの、公報に記載されている図２に示す冷暖房用パネルの構造から「溶着」であることが類推することができ、従来例１と同様の課題及び改善の必要があることが推察される。
この発明の目的は、簡易な製造を可能にし、パネル設備費のコストダウンを図ることにある。
【課題を解決するための手段】
【０００４】
この発明に係る冷暖房用などのパネルは、両側に位置しているヘッダーと、両ヘッダー間に配置してあって流体が通過するための通路を有している流体通過用のパイプと、上記流体通過用のパイプを上記両ヘッダーに取り付けるための取付け手段とを備えている。
上記取付け手段は、上記パイプ側に設けてあるボルト用の孔と、上記ボルト用の孔に着脱可能であるボルトとを備えている。上記流体通過用のパイプ側に開けるボルト用の孔については、通路に沿って設ける場合には、安定した固定を図るために、上記通路を挟んで対向的に設けるのが良い。ボルト用の孔には、予め内周部に雌ねじを形成している孔の他に、タップ孔を含むものである。
流体通過用のパイプに関して、これを両側に位置しているヘッダーに対して並列状態に配置しても良いが、直列状態に配置して、上記パイプの各折り曲げ部を両ヘッダーに取付け手段によって取り付けるようにすれば、通路が入口から出口まで連続するので、通路内の流体の流れが円滑になる。流体通過用のパイプが直列状態に配置される場合には、上記流体通過用のパイプは、上記両ヘッダー間をジグザグ状に屈曲された状態で１本のパイプ体を形成する。そして、流体通過用のパイプの本体に関して、その内部を中実にしても、空洞部を有するものにしても、いずれでも良い。流体通過用のパイプの本体内を中実の熱伝導部として、本体の中心に通路を貫通させ、外側面に放熱用の溝を設ける構成とすれば、パイプ本体の放熱面が広くなることから冷暖房効果が高められる。
さらに、流体通過用のパイプは、複数の主パイプ部と、一側のヘッダー側に配置されている一方の接続パイプ部と、他側のヘッダー側に配置されている他方の接続パイプ部とを備えるものであっても良い。主パイプ部と双方の接続パイプ部にはそれぞれボルト用の孔を開けてある。主パイプ部と双方の接続パイプ部とは、各ボルト用の孔とボルトによって、互いに接続される。双方の接続パイプ部は、各ボルト用の孔とボルトによって、両側のへッダーに固定される。
両側に位置しているヘッダーに関して、輻射パネルを壁に設置する場合には、上記上側のヘッダーは上ヘッダーであり、下側のヘッダーは下ヘッダーであり、上記上ヘッダーの長さ方向の両側に送風ファンを対向して配置して、上記各送風ファンからの送風を流体通過用のパイプに向けるのが良い。
【発明の効果】
【０００５】
この発明によれば、溶接作業によることなく、流体通過用のパイプを両ヘッダーにボルトを介して取り付けることができるので、簡易にパネルを製造することが可能になり、パネルの製造に手間と時間がかからず、パネル設備費のコストダウンを図ることができる。
【発明を実施するための最良の形態】
【０００６】
この発明の実施形態として、輻射パネルについて図１〜図８を参照して説明する。
図１に示す輻射パネル１は、上下両側に配置されている上ヘッダー２ａ及び下ヘッダー２ｂと、上下の両ヘッダー間に配置してあって、流体の通路３を有する流体通過用のパイプ４と、このパイプを上記両ヘッダーに着脱可能に取り付けるための取付け手段５とを備えている。
【０００７】
図１〜図３において、上ヘッダー２ａ及び下ヘッダー２ｂは、いずれも角筒状に形成されている。上下の両ヘッダー２ａ，２ｂは互いに平行に配置されており、流体通過用のパイプ４の上下端部とそれぞれ連結されている。
【０００８】
流体通過用のパイプ４について説明する。
図１に示すように、流体通過用のパイプ４は例えばアルミ部材などの部材を用いて両側に位置しているヘッダーに対して直列状態に配置されており、流体の通路３が一端部から他端部に向けて途切れることなく、連続している。すなわち、
流体通過用のパイプ４は、図１〜図６に示すように、輻射パネル１の幅方向（図１左右方向）に間隔を置いて並べられている縦長の複数の主パイプ部４１と、上下両側に位置しかつ折り曲げ部を構成している接続パイプ部４２と、下両側に位置している出入り口パイプ部４３ａ，４３ｂとを備えている。
流体通過用のパイプ４は、全体として蛇行状に形成されており、接続パイプ部４２が上ヘッダー２ａ及び下ヘッダー２ｂにそれぞれ交わる構成とし、流体の通路３が図１左側下端の出入り口パイプ部４３ａから主パイプ部４１及び接続パイプ部４２を経て右側下端の出入り口パイプ部４３ｂまで一連となっている。
各主パイプ部４１は、その本体が中実であり、そして図４に示すように、水平の断面形状が長方形に形成されている熱伝導部であり、さらに中心部に流体である冷温水を通すための通路３が全長に亘って形成されている。
各主パイプ部４１は、図１〜図４に示すようにその正面及び背面並びに両側面には、長さ方向に放熱用の溝４１１をそれぞれ形成してある。各溝４１１は、各主パイプ部４１の外表面を広くするためであり、流体通過用のパイプ４の放熱面積を拡張するための手段である。
各主パイプ部４１の上下端部は、図１〜図３に示すように上ヘッダー２ａ及び下ヘッダー２ｂに達している。
各接続パイプ部４２は、図１に示すように断面逆溝形に形成されており、内部に通路３が貫通されている（図５）。図１及び図６に示すように、上ヘッダー２ａ側に位置している各接続パイプ部４２の両端部は、互いに隣接している双方の主パイプ部４１を一組として各組の主パイプ部４１の一端部（上端部）に接続されている。下ヘッダー２ｂ側に位置している各接続パイプ部４２の両端部は、輻射パネル１の両端に位置している主パイプ部４１を除いて、互いに隣接している双方の主パイプ部４１を一組として各組の主パイプ部４１の他端部（下端部）に接続されている。
輻射パネル１の両端に位置している主パイプ部４１の他端部（下端部）には出入り口パイプ部４３ａ，４３ｂを接続してある。両出入り口パイプ部４３ａ，４３ｂには冷温水の出入り口管６ａ，６ｂ（図１）が連結されている。
各接続パイプ部４２の両側面及び前後各面両側には、図２、図３及び図５に示すように溝４２１を設けてある。各溝４２１は主パイプ部４１の溝４１１に連続している。また出入り口パイプ部４３ａ，４３ｂの外面に溝４３１（図６のみ図示。）を設けてある。各溝４３１は主パイプ部４１の溝４１１に連続している。
各主パイプ部４１と、各接続パイプ部４２及び出入り口パイプ部４３ａ，４３ｂとは、取付け手段５によって上ヘッダー２ａ及び下ヘッダー２ｂに固定されている。
【０００９】
流体通過用のパイプ４は、図１及び図６に示すように、主パイプ部４１、上下に位置している各接続パイプ部４２及び出入り口パイプ部４３ａ，４３ｂによって上ヘッダー２ａ及び下ヘッダー２ｂ間にジクザク状に配置されている。このため、出入り口パイプ部４３ａに接続されている冷温水の出入り口管６ａから入った冷温水は、上ヘッダー２ａと下ヘッダー２ｂとの間を蛇行しながら出入り口パイプ部４３ｂに接続されている冷温水の出入り口パイプ部４３ｂに接続されている冷温水の出入り口管６ｂを経て外部に排出される。
【００１０】
取付け手段５について図１〜図６を参照して説明する。
取付け手段５はボルト用のタップ孔５１とボルト５２とを備えている。
ボルト用のタップ孔５１は、各主パイプ部４１、各接続パイプ部４２及び出入り口パイプ部４３ａ，４３ｂに形成されている。各主パイプ部４１におけるボルト用のタップ孔５１は、通路３を挟んでその両側（図４上下両側）に全長に渡ってかつ通路に沿って開けられている。各接続パイプ部４２におけるボルト用のタップ孔５１は、図１、図２及び図５に示すように、接続パイプ部の両端側に通路３を挟んで開けられている。出入り口パイプ部４３ａ，４３ｂのボルト用のタップ孔５１（図１では片側のみ図示）は、通路３を挟んで開けられている。各主パイプ部４１、各接続パイプ部４２及び出入り口パイプ部４３ａ，４３ｂに形成されている各ボルト用のタップ孔５１は、対向位置で互いに連続している。
ボルト５２は、上下の両ヘッダー２ａ，２ｂの外側から内部に挿入されている。上側のボルト５２は、図１、図２及び図６に示すように上ヘッダー２ａ側に配置されている各主パイプ部４１及び各接続パイプ部４２に開けられているボルト用のタップ孔５１内に上側から下側に向けてねじ込まれている。また図１の下側両端に位置しているボルト５２を除く下側のボルト５２は、下ヘッダー２ｂ側に配置されている各主パイプ部４１及び各接続パイプ部４２に開けられているボルト用のタップ孔５１内に下側から上側に向けてねじ込まれている。
図１の下側両端に位置しているボルト５２は、各主パイプ部４１及び出入り口パイプ部４３ａ，４３ｂに開けられているボルト用のタップ孔５１内に下側から上側に向けてねじ込まれている。
輻射パネル１のパイプ４は、各上下両端部が図１に示すように、ボルト５２によって上下の両ヘッダー２ａ，２ｂに固定されている。
図１及び図６に示すように、互いに接触する各主パイプ部４１の端部と各接続パイプ部４２の端部との間には、また互いに接触する各主パイプ部の端部と出入り口パイプ部４３ａ，４３ｂの端部との間には、パッキン７をそれぞれ配置してある。
このため、各主パイプ部４１の端部と各接続パイプ部４２との接触部分及び各主パイプ部の端部と出入り口パイプ部４３ａ，４３ｂの端部との接触部分は、ボルト５２の押圧力によって互いに密着され、通路３を通過する流体の漏れを防止することができる。
【００１１】
輻射パネル１は、図７及び図８に示すように、床１１上に設置されている結露受け８に起立状態に固定されている。輻射パネル１の上側は、背後の壁１３に上ヘッダー２ａに接続されている支持部材１４によって保持されている。輻射パネル１の下側が下ヘッダー２ｂに接続されている支持部材１２によって結露受け８に保持されている。
結露受け８はその内部に輻射パネル１の下端部が配置されている。結露受け８は、輻射パネル１における流体通過用のパイプ４の外側から滴下される結露を内底部８１に受け入れることができる。結露受け８の内底部８１は中央部に向けて傾斜されている。このため滴下される結露は内底部８１の中央部に集められ、中央部に設けてある排水ドレイン８２に流れる。結露は、排水ドレイン８２から結露受け８の外部に排出される。
結露受け８及び輻射パネル１の下端部は下カバー１０ｂによって覆われている。
【００１２】
図７及び図８において、輻射パネル１の上部には上ヘッダー２ａを覆う上カバー１０ａを設けてある。輻射パネル１の幅方向の両側（図７左右両側）であって、上カバー１０ａの両側内部には、送風ファン９ａ，９ｂを送風方向が互いに向き合う方向に取り付けてある。上カバー１０ａには、送風ファン９ａ，９ｂから生じる送風の方向を輻射パネル１に向けるために送風案内板１０ａ１を設けてある。送風案内板１０ａ１は、輻射パネル１の上部背面に向けて下がり勾配になっている。送風ファン９ａ，９ｂからの送風は、送風案内板１０ａ１を通じて輻射パネル１の外表面の輻射伝熱面に及んで、熱対流を強制的に発生させることができる。
【００１３】
次に、輻射パネル１の使用法について説明する。
冷房（又は暖房）する場合には、ポンプ（図示せず。）側から冷水（温水）を一側（図７左側）の冷温水の出入り口管６ａを通じて輻射パネル１の流体通過用のパイプ４に供給すれば、冷水（温水）は図１に示すように出入り口パイプ部４３ａから、左端部に位置している主パイプ部４１から上側の接続パイプ部４２へ上昇し、この上側の接続パイプ部から上記主パイプ部に隣接している主パイプ部内を降下して下側の接続パイプ部４２に至り、この下側の接続パイプ部から主パイプ部内を上昇し、上側の接続パイプ部４２に至り、再び主パイプ部４１内を降下し、以下上昇、折り返し、降下及び折り返しを繰り返し、流体通過用のパイプ４内をジグザグ状に通過し、やがて他側（図１右側）の出入り口パイプ部４３ｂを経て、冷温水の出入り口管６ｂから排出される。
冷水（温水）は、流体通過用のパイプ４を流れる過程で、各主パイプ部４１の輻射伝熱面に熱を伝え、この輻射伝熱面から室内に冷輻射（暖輻射）を行う。
輻射パネル１の流体通過用のパイプ４における放熱は、主パイプ部４１の外面に放熱用の溝４１１を形成してあるので、放熱面が広くなることから冷暖房効果が高められる。
冷暖房の過程では、送風ファン９ａ，９ｂから生じる送風は、送風案内板１０ａ１を通じて輻射パネル１の流体通過用のパイプ４の外表面の輻射伝熱面に及ぶために、熱対流を強制的に発生させる。この結果、送風ファン９ａ，９ｂを備えている輻射パネル１は、備えていないものと比較して、室内の冷暖房効果が一層高められる。
【００１４】
図７及び図８に示す輻射パネル１によって生じる利点について、主に従来例１（輻射パネル１０１）と比較しながら説明する。
（１）輻射パネル１０１によると、流体通過用のパイプ１０４のパイプ部１４１の上下端部が上下のヘッダー１０２ａ，１０２ｂに溶接されている。
輻射パネル１では、上記溶接作業は不要である。すなわち、流体通過用のパイプ４は、ボルト５２をボルト用のタップ孔５１内にねじ込むだけで、接続パイプ部４２を介して上下の両ヘッダー２ａ，２ｂに固定される。このため、流体通過用のパイプ４の取付けには、溶接作業が不要であるから、輻射パネルの組み立てに熟練を要せず、組み立て作業が簡単なり、製造に手間や時間がかからず、また輻射パネルの廃棄時などにおいてもその分解が簡易に行える。
（２）輻射パネル１０１によると、流体通過用のパイプ１０４は、上下のヘッダー１０２ａ，１０２ｂに対して並列状態に設けられているからヘッダー内のエア抜きのための手段をヘッダーに設ける必要があり、また輻射パネル１０１の立ち上がりに時間を要する。
輻射パネル１によれば、流体通過用のパイプ４は、上下の両ヘッダー２ａ，２ｂに対して直列状態に設けられているから、パイプの入口から出口まで途切れることなく連続している。このために、エアは流体（冷温水）と一緒に押し出されることになり、エア抜き手段を設ける必要がない。また輻射パネル１０１と比較して輻射パネル１の立ち上がりに要する時間を短縮化することができる。
（３）輻射パネル１によれば、流体通過用のパイプ４の各主パイプ部４１は通路３の周りが熱伝導部であり、その外側面に溝４１１を形成しているので、輻射パネル１０１と比較して、放熱面が広くなり、冷暖房効果が高められるので、流体の通路３の水平断面積を最小限に抑えられ、その結果流れる冷温水（流体）の使用量の少量化が図られ、省資源化に寄与する。
（４）輻射パネル１によれば、流体通過用のパイプ４には通路３の他に、ボルト用のタップ孔５１及び溝４１１を設け、流体通過用のパイプに取付け手段５及び冷暖房効果を高める手段を組み込んでいるので、構成を簡単にかつ部品点数の増加を抑制する効果を得ることができる。
【００１５】
図９に流体通過用のパイプにおける主パイプ部の他の実施形態を示す。
図示する主パイプ部４１Ａでは、中央部にパイプ状の流体の通路３Ａを設け、この通路を挟んで小径のパイプ状のボルト用のタップ孔５１Ａを設けてある。主パイプ部４１Ａにおける通路３Ａ及びボルト用のタップ孔５１Ａは、図４に示す主パイプ部４１における通路３及びボルト用のタップ孔５１にそれぞれ対応している。通路３Ａ及びボルト用のタップ孔５１Ａは、補強リブ４１Ａ１，４１Ａ２によって補強されている。
【００１６】
冷暖房用などのパネルの適用範囲は冷暖房用パネル、また例えば集合住宅のベランダなどに取り付けて太陽熱を取り込む温水用のパネルなども含まれ、図示する輻射パネル１に限られない。
冷暖房用などのパネルの設置場所は室内の壁に限定されず、例えば天井などであっても良い。
取付け手段５を構成しているボルト用の孔５１及びボルト５２のうち、ボルト用の孔についてはタップ孔に限られない。ボルト用の孔として、タップ孔を選択すれば、孔加工が簡単に行える。
主パイプ部４１，４１Ａのボルト用の孔５１に関しては、加工を容易にするために、図１に示すように全長に亘って設けても良いが、上下両端側のみであっても良い。
【図面の簡単な説明】
【００１７】
【図１】この発明に係る輻射パネルの主要部を断面にして示す拡大正面図である。
【図２】この発明に係る輻射パネルを示す一部切欠拡大側面図である。
【図３】図１のＩＩＩ−ＩＩＩ線拡大断面図である。
【図４】図１のＩＶ−ＩＶ線拡大端面図である。
【図５】図１のＶ−Ｖ線拡大断面図である。
【図６】この発明に係る輻射パネルにおける流体通過用のパイプ、上下の両ヘッダー及びボルトとの関係を示す分解図である。
【図７】この発明に係る輻射パネルの設置状態を示す正面図であって、上下のカバー、送風ファン及び結露受けを断面にして示す図である。
【図８】この発明に係る輻射パネルの設置状態を示す側面図であって、下カバー及び結露受けの一部を断面にして示す図である。
【図９】この発明に係る輻射パネルに用いる主パイプ部の他の実施形態を示す拡大水平断面図である。
【図１０】従来例１を示す拡大正面図であって、主要部を断面にして示す図である。
【図１１】図１０のＸＩ−ＸＩ線拡大端面図である。
【符号の説明】
【００１８】
１                              輻射パネル
２ａ                            上ヘッダー（ヘッダー）
２ｂ                            下ヘッダー（ヘッダー）
３，３Ａ                        流体の通路
４                              流体通過用のパイプ
４１，４１Ａ                    主パイプ部
４１１                          放熱用の溝
４２                            接続パイプ部（折り曲げ部）
４３ａ，４３ｂ                  出入り口パイプ部
５                              取付け手段
５１，５１Ａ                    ボルト用の孔（ボルト用のタップ孔）
５２                            ボルト
７                              パッキン
９ａ，９ｂ                      送風ファン
１０ａ１                        送風案内板
【図１】
2010107151.tif 000003
【図２】
2010107151.tif 000004
【図３】
2010107151.tif 000005
【図４】
2010107151.tif 000006
【図５】
2010107151.tif 000007
【図６】
2010107151.tif 000008
【図７】
2010107151.tif 000009
【図８】
2010107151.tif 000010
【図９】
2010107151.tif 000011
【図１０】
2010107151.tif 000012
【図１１】
2010107151.tif 000013